(57)【特許請求の範囲】
【請求項１】
巻き線を巻回してなるコイルが保持されるボビンと、前記ボビンを収容可能な環状の収容凹部を設けた保持部材とを備えるものであって、
前記コイルは、前記巻き線同士が接着されることで固化されるとともに、前記コイルの内周に段差状の被係止部が形成されており、
前記ボビンは、固化された状態のコイルが外周に嵌着される円筒状の筒部を備えて、コイルの外周側に開放された形態をなし、かつ前記筒部には径方向外側に突出する爪部を備えた弾性係止部が設けられ、前記爪部が前記被係止部に対して弾性的に係止することで前記コイルが抜け止めされることを特徴とするコイル装置。
【請求項２】
前記保持部材には、前記弾性係止部の係止解除方向への撓み変形を規制する撓み規制部が設けられていることを特徴とする請求項１に記載のコイル装置。
【発明の詳細な説明】
【０００１】
【発明の属する技術分野】
本発明は、コイル装置に関する。
【０００２】
【従来の技術】
従来、コイル装置の一例として特開平３−４１２２４号公報に記載されたものが知られている。このものは、図６に示すように、コイル１００が保持されたボビン１０１をヨーク１０２の収容凹部１０３内に収容した構成とされている。ボビン１０１は、内側のものと外側のものとに分割して構成されており、組み付けに際しては、まず巻き線同士が接着されることで固化された状態のコイル１００を内側ボビン１０１Ａに嵌め付け、続いて内側ボビン１０１Ａに対し間にコイル１００を挟むようにして外側ボビン１０１Ｂを仮組みする。そして、内側ボビン１０１Ａと外側ボビン１０１Ｂとを互いに超音波溶接により接合した後、そのボビン１０１をヨーク１０２の収容凹部１０３に収容する。
【０００３】
【発明が解決しようとする課題】
しかしながら、上記構成のコイル装置では、ボビン１０１を内側と外側とに一対設けることから部品点数が多くなって、溶接等の組み付けに手間がかかるという問題があった。
本発明は、上記事情に鑑みてなされたもので、その目的は、組み付け作業を簡易に行うことの可能なコイル装置を提供するところにある。
【０００４】
【課題を解決するための手段】
上記の課題を解決するための請求項１の発明に係るコイル装置は、巻き線を巻回してなるコイルが保持されるボビンと、前記ボビンを収容可能な環状の収容凹部を設けた保持部材とを備えるものであって、前記コイルは、前記巻き線同士が接着されることで固化されるとともに、前記コイルの内周に段差状の被係止部が形成されており、前記ボビンは、固化された状態のコイルが外周に嵌着される円筒状の筒部を備えて、コイルの外周側に開放された形態をなし、かつ前記筒部には径方向外側に突出する爪部を備えた弾性係止部が設けられ、前記爪部が前記被係止部に対して弾性的に係止することで前記コイルが抜け止めされるところに特徴を有する。
【０００５】
請求項２の発明は、請求項１に記載のものにおいて、前記保持部材には、前記抜止部の係止解除方向への撓み変形を規制する撓み規制部が設けられているところに特徴を有する。
【０００６】
【発明の作用および効果】
請求項１の発明によれば、巻き線同士を接着することで固化されたコイルをボビンに嵌着すると、弾性係止部がコイルに対し弾性的に係止してコイルが抜け止めされる。これにより、部品点数が削減されるとともに、コイルのボビンにする組み付け作業を簡易に行うことができる。
【０００７】
請求項２の発明によれば、コイルを保持したボビンを収容凹部に収容するのに伴って、保持部材の撓み規制部によって弾性係止部の係止解除方向への撓み変形が規制されるため、コイルを二重に抜け止めすることができる。
【０００８】
【発明の実施の形態】
次に本発明の一実施形態について図１から図５を参照して説明する。
本実施形態のコイル装置１０は、ソレノイド装置の一部を構成するものであって、図１に示すように、コイル１１が保持されるボビン２０をヨーク３０（本発明の「保持部材」に相当）に収容する構成となっている。
【０００９】
コイル１１は、銅線等からなる巻き線１２を多数回巻回した構成であり、巻き線１２同士が接着されることで、コイル１１単体（ボビン２０に未装着の状態）でもその姿勢を保持し得るように固化されている。より詳細には、このコイル１１は、予め接着剤が塗布された巻き線１２をリール体に巻き付け、加熱することで接着剤を溶融させ、そして接着剤が冷却固化した後にリール体より取り外すことで得られ、略方形断面の環状に形成されている。
【００１０】
ボビン２０は、合成樹脂製であり、図１及び図２に示すように、円筒状の内筒部２１と、内筒部２１の後端（図１の左側）から径方向へフランジ状に張り出した後壁部２２とを備えている。内筒部２１の外周には、前方からコイル１１を概ね緊密に嵌着可能とされている。また、内筒部２１には、径方向に撓み変形可能な弾性係止部２３が前端側へ伸び出すような形態で計３箇所に設けられている。各弾性係止部２３の先端には、径方向へ突出する係止爪部２３Ａが形成されており、一方のコイル１１の内周前端には係止爪部２３Ａが係止可能な被係止部１３が段差状に形成されて、コイル１１は、係止爪部２３Ａが被係止部１３に係止することで抜け止め状態とされる。後壁部２２の後面には、上端寄りの位置に円柱状の電線導出部２４が後方へ向けて一対突設されている。各電線導出部２４の内部には、接続端子２６とその一端部に接続された電線Ｗの端末が埋設されており、この電線Ｗは電線導出部２４の先端から外部に導出されている。また、接続端子２６のもう一端部は、後壁部２２の上端付近から前方へ向けて突出しており、ここに巻き線１２の両端部１２Ａがそれぞれ接続されるようになっている。また、後壁部２２の後面には、略１２０度の角度間隔位置に円筒状のねじ止め筒部２７が後方へ向けて計３個突設されている。
【００１１】
ヨーク３０は、金属材によって全体として環状に形成されており、その前方に開口する環状の溝をなす収容凹部３１が形成されている。収容凹部３１内には、前方からボビン２０が収容されるようになっており、収容凹部３１の底面には、各電線導出部２４及びねじ止め筒部２７が概ね緊密に嵌合可能な回り止め孔３２がヨーク３０の背面に貫通して形成されている。また、収容凹部３１に対し径方向の内側に位置する内側壁部３３（本発明の「撓み規制部」に相当）は、その外径寸法がボビン２０の内径寸法とほぼ同じとされ、収容凹部３１にボビン２０を収容した状態では内側壁部３３により弾性係止部２３の係止解除方向への撓み変形が規制されるようになっている。
【００１２】
次に、コイル装置１０の組み付け手順を説明する。
まず前述の要領で巻き線１２同士が接着され固化されたコイル１１をボビン２０の内筒部２１へ前方から嵌め着けていく。コイル１１が係止爪部２３Ａの先端に当接すると、弾性係止部２３が撓み変形して係止爪部２３Ａがコイル１１の内周面に乗り上げる。そして、コイル１１が後壁部２２に突き当たる位置に至るとともに、弾性係止部２３が復帰変形して係止爪部２３Ａがコイル１１の被係止部１３に係止する。これにより、コイル１１が抜け止め状態でボビン２０に組み付けられる。また、巻き線１２の両端部１２Ａを接続端子２６に溶着等により接続する。
【００１３】
続いて、電線導出部２４から導出される一対の電線Ｗのもう一端をそれぞれヨーク３０の対応する回り止め孔３２に前方から挿通し、ボビン２０をヨーク３０の収容凹部３１に嵌め入れる。このとき、各ねじ止め筒部２７及び電線導出部２４を対応する回り止め孔３２に嵌合させることで、ボビン２０がヨーク３０に対して周方向に遊動不能に位置決めされる。また、弾性係止部２３の内側にヨーク３０の内側壁部３３が当接することで、その係止解除方向への撓み変形が規制される。そして、ヨーク３０の背面において、各ねじ止め筒部２７にねじ４０の軸部を差し込むようにして締め付けることで、ボビン２０がヨーク３０に対して固定される。以上により、コイル装置１０の組み付けが完了する。
【００１４】
以上のように本実施形態によれば、巻き線１２同士を接着することで固化されたコイル１１をボビン２０に嵌着すると、弾性係止部２３がコイル１１に対し弾性的に係止してコイル１１が抜け止めされる。これにより、部品点数が削減されるとともに、コイル１１のボビン２０にする組み付け作業を簡易に行うことができる。
【００１５】
また、コイル１１を装着したボビン２０を収容凹部３１に収容するのに伴って、ヨーク３０の内側壁部３３によってボビン２０の弾性係止部２３の係止解除方向への撓み変形が規制されるため、コイル１１を二重に抜け止めすることができる。
【００１６】
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、弾性係止部をボビンの内筒部に３つ設けたものを示したが、弾性係止部の数や位置や形状等は任意に変更することができる。
（２）上記実施形態では、撓み規制部としてヨークの内側壁部によって弾性係止部の撓み変形を規制したが、本発明によれば、保持部材に撓み規制部を設けない構成としても良く、他の部材を用いて撓み規制部を構成しても良い。
【図面の簡単な説明】
【図１】本実施形態におけるコイル装置の分解断面図
【図２】ボビンの正面図
【図３】コイル装置の正面図
【図４】コイル装置の背面図
【図５】コイル装置の断面図
【図６】従来のコイル装置の断面図
【符号の説明】
１０…コイル装置
１１…コイル
１２…巻き線
２０…ボビン
２３…弾性係止部
３０…ヨーク（保持部材）
３１…収容凹部
３３…内側壁部（撓み規制部）
【図１】
0004103410.tif 000002
【図２】
0004103410.tif 000003
【図３】
0004103410.tif 000004
【図４】
0004103410.tif 000005
【図５】
0004103410.tif 000006
【図６】
0004103410.tif 000007